【手続補正書】
【提出日】令和2年10月2日(2020.10.2)
【手続補正１】
【補正対象書類名】特許請求の範囲
【補正対象項目名】全文
【補正方法】変更
【補正の内容】
【特許請求の範囲】
【請求項１】
連続グルコースセンサの使用者の緊急状態を考慮した前記連続グルコースセンサを使用する方法であって、前記方法は、
前記連続グルコースセンサからグルコース濃度データを受信するステップであって、前記グルコース濃度データは、経時的に前記使用者のグルコース濃度を示す、受信するステップと、
前記使用者の前記グルコース濃度の時間的変化率を、前記グルコース濃度データに基づいて計算するステップと、
前記使用者とモバイルデバイスで実行するアプリケーションとの間の使用者対話のレベルを示す対話データを受信するステップであって、前記アプリケーションは、前記連続グルコースセンサと関連する、受信するステップと、
前記グルコース濃度データ、前記時間的変化率、および前記対話データに少なくとも部分的に基づいて、前記使用者についての時間ベースの血糖緊急度指数を決定するステップであって、前記時間ベースの血糖緊急度指数は、前記使用者の現在のグルコース濃度状態が現在の時間において注意を払う必要がある尤度の表示を提供する、決定するステップと、
前記時間ベースの血糖緊急度指数を既定の血糖緊急度指数閾値と比較することに基づいて、前記使用者の前記現在のグルコース濃度状態に関連する警告を前記使用者に提供するか否かの決定を実行するステップと、
前記血糖緊急度指数が前記既定の血糖緊急度指数閾値を満たすとき、前記警告を前記使用者に提供するステップと、を含む、
方法。
【請求項２】
前記グルコース濃度は、現在の測定されたグルコース濃度、過去に測定されたグルコース濃度、または未来の予測されるグルコース濃度である、請求項１に記載の方法。
【請求項３】
時間に関する前記使用者の前記グルコース濃度の第２の導関数を計算することをさらに含み、前記血糖緊急度指数を決定することは、時間に関する前記使用者の前記グルコース濃度の前記第２の導関数にも少なくとも部分的に基づく、請求項１に記載の方法。
【請求項４】
前記血糖緊急度指数を決定することは、正常グルコースパターンからの偏差、経時的グルコース値のパターンデータ、予測されるグルコース値、前記血糖緊急度指数の決定で考慮されるパラメータもしくは変数の重み付け、または前記グルコース濃度の極大値もしくは極小値にも少なくとも部分的に基づく、請求項１に記載の方法。
【請求項５】
前記使用者によって入力されたデータを受信することをさらに含み、前記血糖緊急度指数を決定することは、前記使用者によって入力された前記データにも少なくとも部分的に基づく、請求項１に記載の方法。
【請求項６】
前記使用者によって入力された前記データを受信することには、前記モバイルデバイスのユーザーインターフェース上で前記使用者によって入力されたデータを受信することが含まれる、請求項５に記載の方法。
【請求項７】
前記使用者によって入力された受信されたデータには、使用者の体重、活動レベルの使用者表示、摂取されたかもしくは摂取される食品または飲料の使用者表示、身体計測データ、前記使用者に提供された前のインスリンに関するデータ、ストレスデータ、健康データ、前記連続グルコースセンサの配置に関するデータ、年齢、あるいは性別が含まれる、請求項５に記載の方法。
【請求項８】
前記使用者によって入力された受信されたデータには、摂取されたかもしくは摂取される食品または飲料の使用者表示、あるいは前記使用者に提供されたかもしくは前記使用者に提供される前のインスリンに関するデータが含まれ、前記受信されたデータに基づいて前記血糖緊急度指数がより低い緊急性であると決定することをさらに含む、請求項５に記載の方法。
【請求項９】
第２のセンサからデータを受信することをさらに含み、前記血糖緊急度指数の決定は、前記第２のセンサからの前記データにも少なくとも部分的に基づく、請求項１に記載の方法。
【請求項１０】
前記第２のセンサには、目盛り、血糖計、体温計、加速度計、カメラ、ＧＰＳデバイス、またはマイクのうちの少なくとも１つが含まれる、請求項９に記載の方法。
【請求項１１】
前記第２のセンサから受信された前記データは、使用者の体重、活動レベルの使用者表示、摂取されたかもしくは摂取される食品または飲料の表示、身体計測データ、前記使用者に提供された前のインスリンに関するデータ、生理的データ、ストレスデータ、または健康データを示す、請求項１０に記載の方法。
【請求項１２】
照会処理エンジン、機械が機械対話するように構成された電子デバイス、または電子使用者記録からのデータを受信することが含まれる、請求項１に記載の方法。
【請求項１３】
前記警告が前記使用者に提供されるべきか否かの決定を実施することは、既定の警告閾値または警報閾値と比較した前記グルコース濃度に基づき、前記既定の警告閾値または警報閾値は、前記使用者が低血糖状態または高血糖状態にあることを示す、請求項１に記載の方法。
【請求項１４】
前記グルコース濃度と前記グルコース濃度の時間的変化率に少なくとも部分的に基づく前記血糖緊急度指数を記載する、高度な出力を提供することをさらに含む、請求項１に記載の方法。
【請求項１５】
生理的状態に関連するデータを監視するための電子デバイスであって、
ａ．ホストにおける分析物の濃度を実質的に連続的に測定するように構成された連続分析物センサであって、前記ホストにおける前記分析物の濃度に関連する連続センサデータを提供する、連続分析物センサと、
ｂ．生理的状態に関連する第１の種類のデータを受信し、前記生理的状態に関連する第２の種類のデータを計算し、前記生理的状態に関連する第３の種類のデータを受信し、前記第１の種類、第２の種類、及び第３の種類の前記受信されたデータに少なくとも基づいて緊急度指数を決定し、モバイルデバイス上に前記決定された緊急度指数の表示を提供するように構成された、プロセッサモジュールと、
を含む、デバイス。
【請求項１６】
前記分析物は、グルコースである、請求項１５に記載のデバイス。
【請求項１７】
連続グルコースセンサを使用して使用者の緊急状態を考慮した、前記連続グルコースセンサを使用する方法であって、前記方法は、
前記連続グルコースセンサからグルコース濃度データを受信するステップであって、前記グルコース濃度データは、経時的に前記使用者のグルコース濃度を示す、受信するステップと、
前記使用者の前記グルコース濃度の時間的変化率を、前記グルコース濃度データに基づいて計算するステップと、
前記使用者とモバイルデバイスで実行するアプリケーションとの間の使用者対話のレベルを示す対話データを前記モバイルデバイスから受信するステップであって、前記アプリケーションは、前記連続グルコースセンサと関連する、受信するステップと、
前記グルコース濃度データ、前記時間的変化率、および前記対話データに少なくとも部分的に基づいて、前記使用者についての時間ベースの血糖緊急度指数を決定するステップであって、前記時間ベースの血糖緊急度指数は、前記使用者の現在のグルコース濃度状態が現在の時間において注意を払う必要がある尤度の表示を提供する、決定するステップと、
前記血糖緊急度指数を既定の血糖緊急度指数閾値と比較することに基づいて、前記使用者の前記グルコース濃度状態に関連する警告を前記使用者に提供するか否かの決定を実行するステップと、
前記血糖緊急度指数が前記既定の血糖緊急度指数閾値を満たすとき、前記警告を前記使用者に提供するステップと、を含む、
方法。
【請求項１８】
前記グルコース濃度の表示を前記モバイルデバイス上に表示することをさらに含む、請求項１に記載の方法。
【請求項１９】
前記血糖緊急度指数の表示を前記モバイルデバイス上に表示することをさらに含む、請求項１８に記載の方法。
【請求項２０】
前記グルコース濃度の表示を前記モバイルデバイス上に表示することをさらに含む、請求項１７に記載の方法。
【請求項２１】
前記血糖緊急度指数に少なくとも部分的に基づく医療用デバイスを作動することをさらに含み、前記医療用デバイスは、薬物送達デバイスである、請求項１に記載の方法。
【請求項２２】
前記薬物送達デバイスは、インスリン送達デバイスである、請求項２１に記載の方法。
【請求項２３】
前記インスリン送達デバイスは、インスリン送達ペンまたはポンプである、請求項２２に記載の方法。